(57)【要約】【課題】携帯リング用の挿通孔を形成する枠状部分の破損を防止すること。【解決手段】指で摘むことができる正面側及び背面側の両側壁、これらの側壁の少なくとも一側壁の内端部にキーブレード或いはキーヘッドの一部用の開口を有すると共に外端部側に携帯リング用の挿通孔を形成する枠状部分を含む外周壁をそれぞれ有するキーヘッドカバーに於いて、合成樹脂製のキーヘッドカバー内に硬質製の係止片１を設け、少なくとも該係止片の一部分１ａが前記枠状部分を形成していることを特徴とするキーヘッドカバー。【選択図】  図２
2007170024.tif 000002
【特許請求の範囲】
【請求項１】
指で摘むことができる正面側及び背面側の両側壁、これらの側壁の少なくとも一側壁の内端部にキーブレード或いはキーヘッドの一部用の開口を有すると共に外端部側に携帯リング用の挿通孔を形成する枠状部分を含む外周壁をそれぞれ有するキーヘッドカバーに於いて、合成樹脂製のキーヘッドカバー内に硬質製の係止片１を設け、少なくとも該係止片の一部分１ａが前記枠状部分を形成していることを特徴とするキーヘッドカバー。
【請求項２】
請求項１に於いて、キーヘッドカバーは、結合可能な２つの扁平ケース状保持片２，３で構成し、これらの保持片２，３にキーヘッドａと金属製の係止片１とをそれぞれ嵌合状態に組み込んでいることを特徴とするキーヘッドカバー。
【請求項３】
請求項２に於いて、係止片は、頭輪郭部分乃至首輪郭部分を有する鋼線部材であることを特徴とするキーヘッドカバー。
【請求項４】
請求項１に於いて、一方の保持片の内面に係合爪を形成し、一方、他方の保持片の内面にも前記係合爪に係脱する係合爪を形成し、両方の保持片の結合時、又は分離時に、少なくとも一方の保持片を若干回すようにすると、これらの係合爪は、互いに係脱自在であることを特徴とするキーヘッドカバー。
【請求項５】
請求項１に於いて、硬質製の係止片は金属で出来ており、また、キーヘッドカバー内に予め機械的キーのキーヘッドの一部或いは全部が内装され、一側壁、他側壁及び外周壁は、予め一体成形されていることを特徴とするキーヘッドカバー。
【請求項６】
請求項１に於いて、挿通孔を形成する枠状部分１Ａは、係止片１の一部分１ａのみ、又は、該一部分１ａ及びキーヘッドカバーの外周壁１０の一部分１０ａの両方のいずれかであることを特徴とするキーヘッドカバー。
【発明の詳細な説明】
【技術分野】
【０００１】
本発明は、キーヘッドカバーに関し、特に普通一般の錠前の鍵穴にブレード部分を差し込んで施・解錠する機械的キーのキーヘッドの一部或いは全部をカバー状態で保持する場合に適合し、望ましくは、ＩＤコードの電波を発進する電気部品を内蔵するキーヘッドカバーに関する。
【背景技術】
【０００２】
特許文献１乃至特許文献４には、「指で摘むことができる正面側及び背面側の両側壁、これらの側壁の少なくとも一側壁の内端部にキーブレード或いはキーヘッドの一部用の開口を有すると共に、外端部側に携帯リング用の挿通孔を形成する枠状部分を含む外周壁をそれぞれ有する合成樹脂製のキーヘッドカバー」が開示されている。
【０００３】
上記構成のキーヘッドカバーは、携帯リング用の挿通孔を形成する枠状部分が全て合成樹脂製のキーヘッドカバーの一部分であることから、例えば意匠上の美観性を考慮して、枠状部分の肉厚を薄くすると、破損し易くなると問題点があった。特に、携帯リングは、普通一般に金属製であるから、枠状部分の内側に強い力が加わると、外観上、細い、或いは薄い枠状部分が破損する場合がある。
【特許文献１】特開平８−２８１０６号公報
【特許文献２】特開平８−１３５２６３号公報
【特許文献３】特開平１０−２８０７４１９公報
【特許文献４】特開２０００−３３６９８６号公報
【発明の開示】
【発明が解決しようとする課題】
【０００４】
本発明の第１の目的は、携帯リング用の挿通孔を形成する枠状部分の破損を防止することである。第２の目的は、凹所内にキーヘッドａ、係止片１等を十分に或いは所望するように入れることができること。第３の目的は、係止片が変形して容易に抜けないことである。第４の目的は、キーを簡単に交換することができることである。
【課題を解決するための手段】
【０００５】
本発明のキーヘッドカバーは、指で摘むことができる正面側及び背面側の両側壁、これらの側壁の少なくとも一側壁の内端部にキーブレード或いはキーヘッドの一部用の開口を有すると共に外端部側に携帯リング用の挿通孔を形成する枠状部分を含む外周壁をそれぞれ有するキーヘッドカバーに於いて、合成樹脂製のキーヘッドカバー内に硬質製の係止片１を設け、少なくとも該係止片の一部分１ａが前記枠状部分を形成していることを特徴とする。
【０００６】
上記構成に於いて、キーヘッドカバーは、結合可能な２つの扁平ケース状保持片２，３で構成し、これらの保持片２，３にキーヘッドａと金属製の係止片１とをそれぞれ嵌合状態に組み込んでいることを特徴とする。その他の特徴事項は、従属項に記載されている。
【発明の効果】
【０００７】
（１）携帯リング用の挿通孔を形成する枠状部分の破損を防止することができる。
（２）請求項２に記載の発明は、結合可能な２つの扁平ケース状保持片２，３で構成し、一方の保持片２の嵌合凹所２ａにはキーヘッドａが嵌合するのに対して、他方の保持片３の係合凹所３ａには金属製の細い係止片１が嵌め込まれているので、キーヘッドａ及び細い係止片１をそれぞれの凹所に十分に嵌め込むことができる。そして、実施例では、保持片２，３を結合すると、キーヘッドａの面で係止片１を押え付けことができる。
（３）請求項３に記載の発明は、係止片の枠状部分１ａに外方向への強い力が作用しても、係止片が容易に変形して抜けない。
（４）請求項４に記載の発明は、一方の保持片の外周壁の内面に係合爪を形成し、一方、他方の保持片の外周壁の内面にも前記係合爪に係脱する係合爪を形成し、両方の保持片の結合時、又は分離時に、少なくとも一方の保持片を若干回すようにすると、これらの係合爪は、互いに係脱自在であるから、キーを容易に交換することができる。特に、両保持片を結合しても、係合解消の方向へ簡単に回すことができる。
（５）請求項５、請求項６に記載の発明も、（１）の目的を達成することができる。
【発明を実施するための最良の形態】
【０００８】
以下、図１乃至図９に示す本発明を実施するための最良の形態（第１実施例）により説明する。
【０００９】
（１）発明の実施の環境
図１の（ａ）、（ｂ）は発明の実施の環境を示す概略説明図である。Ｘは合成樹脂製のキーヘッドカバーで、該キーヘッドカバーＸには機械的キーＫが脱着可能に設けられている。図１の状態で商品が販売された場合は錠前用のキー及び電気キーとなり、一方、機械的キーＫが存在しない場合には、電気キーとなる。
【００１０】
本発明のキーヘッドカバーＸは、電気部品を内蔵しているが、電気部品を内蔵することは、必ずしも発明の特定要件ではない。それは、本発明はキーヘッドカバーＸの携帯リング用の挿通孔８を形成する枠状部分１ａに特徴があるからである。
【００１１】
すなわち、本発明のキーヘッドカバーＸは、その内部にキーヘッドカバーＸの係止用枠状部分１ａを形成する（携帯リング用の挿通孔８を形成する意味）硬質製の鋼線状の係止片１が内装されている。したがって、電気キーの機能を有する、有しないにかかわらず、キーヘッドカバーＸを販売した場合には、直接侵害となる。以下、キーヘッドカバーＸの構成の主要部を説明する。細部的事項の説明や符号は割愛する。
【００１２】
（２）キーヘッドカバーＸの基本的構成
発明の詳細等に於いて、図１の（ａ）を正面図とする。キーヘッドカバーＸは、機械的キーＫのヘッド（摘み部分）ａの表裏の全部又は一部をカバーするので、例えば第１実施例のように、キーヘッドカバーＸが略同一の大きさやデザイン態様で二分割に形成されている場合には、いずれが本体か蓋体か区別できない。
【００１３】
しかし、ここでは、説明の便宜上、一方の保持片２を「本体」とし、これに一体的に結合する他方の保持片３を「蓋体」とする。付言すれば、図３の（ａ）で示すように、一方の保持片２の内部（例えば嵌合凹所）２ａにキーヘッドａが嵌合する方が「本体」であり、これに対して、図３の（ｂ）で示すように、他方の保持片３の係合凹所（例えば係合溝）３ａに金属製の細長い係止片１が嵌め込まれている方が「蓋体」である。
【００１４】
そこで、キーヘッドカバーＸの構成を説明する。２は硬質の合成樹脂材で扁平ケース状に形成された本体、３は該本体２に結合可能な蓋体である。本体２の下端部（内端部）は水平状態に切除されていることから、外観上楕円形状（例えば卵形状）の蓋体３の方が大きいことになるが、該蓋体３も本体２と同様の合成樹脂材で扁平ケース状に形成され、両方２、３を結合すると、普通一般に自動車、建具等に使用されているキーのキーヘッドカバーの外観形状となる。
【００１５】
図１及び図２は、本体２と蓋体３が係合手段又は／及び単数又は複数個の固定手段４で合体（結合）した場合の各説明図である。これらの図から明らかなように、本発明の合成樹脂製のキーヘッドカバーＸは、指で摘むことができる正面側の側壁５及び背面側の側壁６、これらの側壁５、６の少なくとも一側壁（本実施例では本体２の側壁５）の内端部にキーブレードｂ或いはキーヘッドａの一部用の開口（切除部分）７を有すると共に、外端部側に携帯リング用の挿通孔８を形成する枠状部分１ａを含む外周壁１０、１０をそれぞれ有する。
【００１６】
付言すると、前記枠状部分１ａは、本体２及び蓋体３の外周壁１０自体の一部分ではなく、本体２及び蓋体３に内装された金属製係止片１の露出部分である。したがって、本体２と蓋体３は、それぞれ外周壁１０の外端部側に任意形状（例えばＵ字形状、Ｖ字形状、Ｊ字形状、凹所形状等）の切欠部分１１，１２を有している。本実施例では、これらの切欠部分１１，１２の形状は、正面図を基準にすると、Ｊ字状の形状であることから、少なくとも蓋体３の外周壁１０の一部分であるＪ字状外面部分と金属製枠状部分１ａの内側部分の両方で囲まれた空間が携帯リング用の挿通孔８となる。
【００１７】
（３）本体２と蓋体３
図３ないし図１ａを参照にして、発明の要部を説明する。図３（ａ）は本体２の嵌合凹所２ａの下部側に機械的キーＫのキーヘッドａが着脱自在に嵌合する旨の概略説明図、図３（ｂ）は蓋体３の係合凹所３ａに露出する枠状部分１ａを除き、その余の頭輪郭ないし首輪郭部分が全て係脱自在に係合する旨の概略説明図である。
【００１８】
図３（ａ）、（ｂ）に於いて、符号１４は本体２の側壁５の上端部に形成された固着具４用の貫通小孔で、この貫通小孔１４は蓋体３の側壁６に形成されたネジ穴１５と符合する。したがって、貫通小孔１４及びネジ穴１５は、切欠部分１１，１２の付近にそれぞれ形成されている。
【００１９】
１６は本体２の嵌合凹所２ａを形成する外周壁１０の内壁面の左右に一組設けられたキーヘッドａ用支持突起で、これらの支持突起１６の間には、キーヘッドａの中央部の係合小孔ｃと係合する係止軸受け１７が突出形成されている。一方、１８は前記係止軸受け１７に係合する小さな支軸で、この支軸１８は蓋体３の側壁６の内壁面中央部に突出形成されている。なお、係止軸受け１７及び支軸１８は固着具４用の貫通孔やメネジとなっている。
【００２０】
図３（ｂ）及び図４は蓋体３と係止片１との係脱構成を示す各概略説明図である。これらの図から明らかなように、蓋体３の側壁６の内壁面には、連続的な係合凹所３ａを形成する複数個の係止突起２１ａ〜２１ｅが設けられ、これらの係止突起２１ａ〜２１ｅに規制ないし係止されるように鋼線部材の係止片１が嵌め込まれている。
【００２１】
付言すると、枠状部分１ａを含む頭輪郭形状部分は、図３（ｂ）で示すように、弧状の上端部側は外周壁１０の内周面に沿うように嵌め込まれていると共に、下端部側のＬ型状及び逆Ｌ型状部分は左右の係止突起２１ａ、２１ｂにそれぞれ係止され、さらに、頭輪郭形状部分に連設する顎輪郭部分ないし首輪郭部分は、その他の係止突起２１ｃ、２１ｄ、２１ｅにそれぞれ挟まれた格好で係合している。
【００２２】
したがって、係止片１は、複数個の係止突起にそれぞれ係合する複数の抜け止め部分（係止される部分−顎輪郭部分）２２を有することになる。なお、係止片１は露出している枠状部分１ａに外方向への力が作用した場合に於いて、係止片１が容易に変形して抜けないようにすることで十分であるから、その形状や数は、任意に設計変更することができる。
【００２３】
（４）電気部品２５
２５はＩＤコードの電波を発進する電気部品で、該電気部品２５は、本実施例では蓋体の係合凹所２６に取り外し可能に嵌め込まれている。トランスポンダ、トランスミッタ等の電気部品２５は公知事項なので、詳細説明は割愛する。
【００２４】
（５）機械的キー
機械的キーＫは、普通一般に使用されているものを意味し、例えばロータリーシリンダ錠、ディスクシリンダ錠、ピンシリンダ錠又はマグネチックタンブラシリンダ錠のような錠装置の鍵孔に直接差し込んで該錠装置の施解錠を行うものである。したがって、機械的キーＫは、係合小孔ｃを有するキーヘッドａ、キーヘッドに連続するブレード部分ｂを有している。
【００２５】
（６）固着具４
前述したように、キーヘッドカバーＸは、結合可能な２つの保持片２、３で構成されていることから、まず、図３（ａ）、（ｂ）で示すように、一方の保持片（本体）２の嵌合凹所２ａに機械的キーＫのキーヘッドａを嵌合し、一方、他方の保持片（蓋体）３の係合凹所３ａに係止片１を嵌め込み、両方２，３の外周壁１０、１０をピッタリ合わせた状態で、２本の固着具４を介して両方２，３を固定する。
【実施例】
【００２６】
本発明の係止片１の形状は、特に問わない。また、材質は硬い金属であることが望ましいが、破損しにくいものであれば、硬質の合成樹脂材でリング形状、枠形状、くらげの外観形状、傘の外観形状等任意の形状に形成することができる。
【００２７】
この欄では、図１０乃至図２０に示す本発明の他の実施例（第２実施例、第３実施例、第４実施例）について説明する。なお、これらの実施例の説明に当たって、前記第１実施例と同一の部分には、同一又は同様の符号を付して重複する説明を省略する。
【００２８】
まず、第２実施例のキーヘッドカバーＸ１が第１実施例と主に異なる点は、一方の保持片２Ａの外周壁１０の内面の左右に一組の係合爪３１，３１を形成し、一方、他方の保持片３Ａの外周壁１０の内面の左右にも前記係合爪３１，３１に係脱する一組の係合爪３２，３２を形成したことである。
【００２９】
上記構成に於いて、図１３で示すように、両方の保持片２Ａ、３Ａの結合時、又は分離時に、係止軸受け１７に係入する支軸１８を支点にして、少なくとも一方の保持片を若干回すようにすると、これらの係合爪３１，３１，３２，３２は、互いに係脱自在である。
【００３０】
なお、本実施例の係合爪３１、３２は、互いに係脱する機能を有すれば良いことから、一方の係合爪３２は、必ずしも鉤状ではない。他方の係合爪３２の形状は任意に設計変更可能である。要は、支軸１８を中心に両方の保持片２Ａ、３Ａの係合爪３１、３２を嵌め合わせることができれば良い。
【００３１】
次に、第３実施例のキーヘッドカバーＸ２は、係止片１が硬質製の細い金属材で出来ている点は第１実施例と同様であるが、第１実施例と主に異なる点は、キーヘッドカバー内に予め機械的キーＫのキーヘッドａの一部或いは全部が内装され、一側壁５、他側壁６及び外周壁１０は、予め一体成形されていることである。
【００３２】
すなわち、図示しない金型の内部に機械的キーＫのキーヘッド（基端部）ａ、電気製品２５及びリング形状の金属製係止片１を挿入し、前記金型の適宜箇所から硬質製の合成樹脂を注入して、いわゆるモールド形成する。そうすると、キーヘッドカバーＸ２の一体成形された一側壁５、他側壁６及び外周壁１０内にキーヘッド（基端部）ａ、電気製品２５及びリング形状の金属製係止片１の枠状部分１ａを除いたその余の部分が内蔵される。
【００３３】
キーヘッドカバーＸを二分割にせず、上記のように構成しても、キーヘッドカバーＸ２の外端部側に携帯リング用の挿通孔８を形成する枠状部分１ａを含む外周壁１０をそれぞれ有する合成樹脂製のキーヘッドカバーＸ２内に硬質製の係止片１を設け、少なくとも該係止片の一部分１ａが前記枠状部分を形成していることに成る。
【００３４】
さらに、第４実施例のキーヘッドカバーＸ３は、係止片１が硬質製の細い金属材で出来ている点は第１実施例と同様であるが、第１実施例と主に異なる点は、挿通孔８を形成する枠状部分１Ａが、係止片の一部分１ａ及びキーヘッドカバーの外周壁１０の一部分１０ａの両方であること。
【００３５】
この実施例の場合、図２０で示すように、図示しない携帯リングとの摩擦を考慮して、枠状部分１Ａを形成する係止片１の一部分１ａの内側を露呈させている。もちろん、本発明の目的は、携帯リング用の挿通孔を形成する枠状部分の破損を防止することにあるから、意匠上の美観を考慮し、合成樹脂製の外周壁１０の一部分１０ａ内に金属製の係止片１の一部分１ａの全てを内装しても良い。
【産業上の利用可能性】
【００３６】
本発明は、主に錠前、建具、自動車業界で利用される。
【図面の簡単な説明】
【００３７】
図１乃至図９は本発明の第１実施例。図１０乃至図１３は本発明の第２実施例、図１４乃至図１６は本発明の第３実施例、図１７乃至図２０は本発明の第４実施例である。
【図１】図１（ａ）はキーを装着した正面からの説明図、図１（ｂ）はキーを装着した背面からの説明図。
【図２】キーを装着した斜視図。
【図３】図３（ａ）は機械的キーのキーヘッドが着脱自在に嵌合する旨の概略説明図、図３（ｂ）蓋体の係合凹所に係止片が係脱自在に係合する旨の概略説明図。
【図４】蓋体と係止片との関係を示す分解斜視図。
【図５】蓋体の内面（裏側）を示す説明図。
【図６】図５の６−６線拡大断面説明図。
【図７】図５の７−７線拡大断面説明図。
【図８】本体の内面（裏側）を示す説明図。
【図９】図８の９−９線拡大断面説明図。
【図１０】第２実施例に於いて、図１０（ａ）は機械的キーのキーヘッドが着脱自在に嵌合する旨の概略説明図、図１０（ｂ）は蓋体の係合凹所に係止片が係脱自在に係合する旨の概略説明図。
【図１１】本体の内面（裏側）を要部と共に示す説明図。
【図１２】蓋体の内面（裏側）を要部と共に示す説明図。
【図１３】本体と蓋体の結合時又は分離時の概略説明図。
【図１４】第３実施例に於いて、キーを装着した正面からの説明図。
【図１５】キーを装着した背面からの説明図。
【図１６】図１４の１６−１６線拡大断面説明図。
【図１７】第４実施例に於いて、キーを装着した正面からの説明図、
【図１８】キーを装着した背面からの説明図。
【図１９】要部の斜視図。
【図２０】図１９の２０−２０線拡大断面説明図。
【符号の説明】
【００３８】
Ｘ，Ｘ１〜Ｘ３…キーヘッドカバー、Ｋ…、ａ…キーヘッド、ｂ…キーブレード、１…係止片、１Ａ，１ａ，１０ａ…枠状部分、２２…抜け防止部分、２，２Ａ…一方の保持片２（本体）、２ａ…嵌合凹所、３，３Ａ…他方の保持片（蓋体）、３ａ…係合凹所、５…正面側の側壁、６…背面側の側壁、８…携帯リング用の挿通孔、７…開口（切除部分）、１０…外周壁、１１，１２…切欠部分、１６…支持突起、１７…軸受け、１８…支軸、２１ａ〜２１ｅ…係止突起、２５…電気部品、２６…係合凹所、３１，３２…係合爪。
【図１】
2007170024.tif 000003
【図２】
2007170024.tif 000004
【図３】
2007170024.tif 000005
【図４】
2007170024.tif 000006
【図５】
2007170024.tif 000007
【図６】
2007170024.tif 000008
【図７】
2007170024.tif 000009
【図８】
2007170024.tif 000010
【図９】
2007170024.tif 000011
【図１０】
2007170024.tif 000012
【図１１】
2007170024.tif 000013
【図１２】
2007170024.tif 000014
【図１３】
2007170024.tif 000015
【図１４】
2007170024.tif 000016
【図１５】
2007170024.tif 000017
【図１６】
2007170024.tif 000018
【図１７】
2007170024.tif 000019
【図１８】
2007170024.tif 000020
【図１９】
2007170024.tif 000021
【図２０】
2007170024.tif 000022